【手続補正書】
【提出日】平成30年1月26日(2018.1.26)
【手続補正１】
【補正対象書類名】明細書
【補正対象項目名】発明の名称
【補正方法】変更
【補正の内容】
【発明の名称】家電機器、通信アダプタ、コントローラ、プログラム更新システム、および、プログラム
【手続補正２】
【補正対象書類名】明細書
【補正対象項目名】０００６
【補正方法】変更
【補正の内容】
【０００６】
本発明は、上記事情に鑑みてなされたものであり、家電機器を動作させる動作プログラムを好適に更新することができる家電機器、通信アダプタ、コントローラ、プログラム更新システム、および、プログラムを提供することを目的とする。
【手続補正３】
【補正対象書類名】明細書
【補正対象項目名】０００７
【補正方法】変更
【補正の内容】
【０００７】
上記目的を達成するため、本発明の家電機器は、
宅内ネットワークに接続される家電機器であって、
前記家電機器の主機能を動作させる動作プログラムを記憶する動作プログラム記憶手段と、
前記宅内ネットワークから転送された更新プログラムを前記動作プログラム記憶手段に上書きすることで、前記動作プログラム記憶手段が記憶する前記動作プログラムを更新するプログラム更新手段と、
前記宅内ネットワークから前記更新プログラムの取得通知を受信すると、前記家電機器が使用されているか否かを判定する判定手段と、
前記判定手段が、前記家電機器が使用されていないと判定した場合に、前記更新プログラムを転送することを要求する転送要求を送信する転送要求手段と、を備える。
【手続補正４】
【補正対象書類名】明細書
【補正対象項目名】０００８
【補正方法】変更
【補正の内容】
【０００８】
本発明によれば、プログラム更新手段が、宅内ネットワークから転送された更新プログラムを動作プログラム記憶手段に上書きすることで、動作プログラム記憶手段が記憶する動作プログラムを更新する。また、判定手段が、宅内ネットワークから更新プログラムの取得通知を受信すると、家電機器が使用されているか否かを判定する。そして、転送要求手段が、判定手段により家電機器が使用されていないと判定された場合に、更新プログラムを転送することを要求する転送要求を送信する。これにより、家電機器は、動作プログラムを好適に更新することができる。
【手続補正５】
【補正対象書類名】特許請求の範囲
【補正対象項目名】全文
【補正方法】変更
【補正の内容】
【特許請求の範囲】
【請求項１】
宅内ネットワークに接続される家電機器であって、
前記家電機器の主機能を動作させる動作プログラムを記憶する動作プログラム記憶手段と、
前記宅内ネットワークから転送された更新プログラムを前記動作プログラム記憶手段に上書きすることで、前記動作プログラム記憶手段が記憶する前記動作プログラムを更新するプログラム更新手段と、
前記宅内ネットワークから前記更新プログラムの取得通知を受信すると、前記家電機器が使用されているか否かを判定する判定手段と、
前記判定手段が、前記家電機器が使用されていないと判定した場合に、前記更新プログラムを転送することを要求する転送要求を送信する転送要求手段と、を備える、
家電機器。
【請求項２】
前記判定手段は、前記家電機器が使用されていないと判定した場合に、ユーザが宅内に不在か否かを問い合わせ、
前記判定手段が、前記宅内に前記ユーザが不在であると判定した場合に、前記プログラム更新手段が前記動作プログラム記憶手段に記憶されている前記動作プログラムを更新する、
請求項１に記載の家電機器。
【請求項３】
前記宅内ネットワークから前記更新プログラムの取得通知を受信すると、前記プログラム更新手段が前記動作プログラムを更新する前に、前記主機能の稼働能力を上げる稼働能力変更手段を備える、
請求項１または２に記載の家電機器。
【請求項４】
前記家電機器が冷蔵庫であり、
前記稼働能力変更手段は、前記更新プログラムの取得通知を受信すると、前記プログラム更新手段が前記動作プログラムを更新する前に、庫内の温度を予め設定された温度以下まで下げる、
請求項３に記載の家電機器。
【請求項５】
前記プログラム更新手段は、前記動作プログラム記憶手段への前記更新プログラムの書き込みが失敗したか否かを監視し、前記書き込みが失敗したことを検知すると、
前記転送要求手段が前記更新プログラムの転送要求を再度送信する、
請求項１から４のいずれか一項に記載の家電機器。
【請求項６】
ネットワークを介して外部機器に接続されるとともに、家電機器と電気的に接続される通信アダプタであって、
前記外部機器から前記家電機器の更新プログラムを受信するプログラム受信手段と、
前記プログラム受信手段が受信した前記更新プログラムを記憶する更新プログラム記憶手段と、
前記家電機器から前記更新プログラムの転送要求を受信すると、前記家電機器に前記更新プログラムを転送するプログラム転送手段と、を備える、
通信アダプタ。
【請求項７】
前記プログラム受信手段が前記更新プログラムを受信すると、前記家電機器に、前記更新プログラムを取得したことを示す取得通知を送信する取得通知手段を備える、
請求項６に記載の通信アダプタ。
【請求項８】
複数の記憶領域を有する記憶手段を備え、
前記記憶手段のいずれかの記憶領域には、前記通信アダプタの動作プログラムが格納され、
前記プログラム受信手段は、前記外部機器から、該通信アダプタ用の更新プログラムをさらに受信し、
前記記憶手段には、前記複数の記憶領域のうち、該通信アダプタの現在使用中の動作プログラムが格納されていない記憶領域に、前記外部機器から受信した該通信アダプタ用の更新プログラムが次回に使用される動作プログラムとして記憶される、
請求項６または７に記載の通信アダプタ。
【請求項９】
通信アダプタを介して家電機器に接続されるコントローラであって、
外部のサーバに、前記家電機器の更新プログラムがあるか否かを問い合わせるプログラム照会手段と、
前記サーバから前記家電機器の更新プログラムを取得するプログラム取得手段と、
前記プログラム取得手段が取得した前記更新プログラムを、前記家電機器が接続される前記通信アダプタに送信するプログラム送信手段と、を備える、
コントローラ。
【請求項１０】
ユーザのスケジュールをスケジュールデータとして登録し、前記登録したスケジュールデータを参照して、前記ユーザが不在か否かを判別するスケジュール設定手段を備え、
前記スケジュール設定手段は、前記家電機器から問い合わせがあると、前記家電機器に前記ユーザが不在か否かを通知する、
請求項９に記載のコントローラ。
【請求項１１】
宅内に設置されたカメラまたはセンサによってユーザが存在するか否かを認識する、
請求項９に記載のコントローラ。
【請求項１２】
主機能を動作させる動作プログラムを記憶する動作プログラム記憶手段と、
外部のサーバに、前記動作プログラムに対応する更新プログラムがあるか否かを問い合わせるプログラム照会手段と、
前記問い合わせに応答して前記サーバから送信された前記更新プログラムを取得するプログラム取得手段と、
前記更新プログラムを前記動作プログラム記憶手段に上書きすることで、前記動作プログラム記憶手段が記憶する前記動作プログラムを更新するプログラム更新手段と、
前記更新プログラムを取得すると、前記主機能が動作しているか否かを判定する判定手段と、を備え、
前記プログラム更新手段は、前記主機能が動作していないと判定した場合に、前記動作プログラムを更新する、
プログラム更新システム。
【請求項１３】
コンピュータを、
通信アダプタを介して接続する家電機器の更新プログラムがあるか否かを外部のサーバに問い合わせるプログラム照会手段、
前記サーバから前記家電機器の更新プログラムを取得するプログラム取得手段、
前記プログラム取得手段で取得した前記更新プログラムを、前記家電機器が接続される前記通信アダプタに送信するプログラム送信手段、として機能させる、
プログラム。